(57)【要約】【課題】遊技の演出により遊技者に操作させる操作手段を有し、意外性のある操作手段を用いた演出により遊技者を飽きさせることなく遊技者の遊技に対する意欲を高める弾球遊技機を提供すること。【解決手段】遊技機の前面に配置されて遊技者が操作可能な演出ボタン１５およびジョグダイヤル１６などの操作手段と、遊技者に指示を行う指示手段と、遊技者による手動操作が適正か否かを判定する適正判断手段と、操作が指示通り適正であれば大当りか否かの抽選結果を示唆する演出を行う抽選結果示唆手段と、を備えた弾球遊技機において、前記操作手段を自動操作せしめる自動制御手段と、自動操作を行わせるか否かを判定する自動操作判定手段とを設け、自動操作させる場合には、前記適正判断手段により適正となるように操作手段を自動操作せしめるように構成した。【選択図】        図１９
2014028126.tif 000002
【特許請求の範囲】
【請求項１】
始動口への遊技球の入球に起因して抽出した乱数値によって遊技者に有利な大当り遊技を発生させるか否かを抽選し、該抽選結果を特別図柄の変動表示後の確定表示により報知する主制御装置と、
該主制御装置から送信される信号に基づいて制御を行う複数のサブ制御装置と、
該サブ制御装置に設けられ、前記信号に基づいて演出図柄表示装置にて表示させる前記特別図柄の擬似演出を複数の演出の中より選択する擬似演出選択手段と、
前記サブ制御装置に接続され、遊技者により操作可能な操作手段と、
該操作手段が操作されたことを検知する操作検知手段と、
所定の前記擬似演出の最中に遊技者に対して指示を行う指示手段と、
該指示手段の指示内容に応じて、遊技者による前記操作手段の手動操作が適正か否かを判定する適正判断手段と、
指示通りの操作が行われて前記適正判定手段により適正と判定された場合に、変動中の特別図柄の抽選結果を示唆する演出を行う抽選結果示唆手段と、を備えた弾球遊技機において、
前記手動操作以外に前記操作手段を自動操作せしめて前記操作検知手段に検知させるようになす自動制御手段と、
該自動制御手段を作動させて自動操作を行わせるか否かを判定する自動操作判定手段と、を備え、
前記指示手段によって指示がなされ、前記自動操作判定手段によって前記自動操作させると判定された場合には、前記適正判断手段により操作が適正と判断されるように前記操作手段を自動操作せしめるようにしたことを特徴とする弾球遊技機。
【請求項２】
請求項１に記載の弾球遊技機において、
前記操作手段の操作により文字入力が可能で、操作に対応する文字が前記演出図柄表示装置に表示されるように構成され、
前記指示手段の指示がないときに前記自動操作判定手段が前記自動操作を行うように判定した場合に、
前記自動制御手段は、所定の文字の組み合わせを前記演出図柄表示装置に表示させるように前記操作手段を作動させ、
前記所定の文字の組み合わせによって、変動中の特別図柄の抽選結果を示唆するようにしたことを特徴とする弾球遊技機。
【請求項３】
請求項１に記載の弾球遊技機において、
前記指示手段の指示内容は、複数種類存在し、該複数種類の指示より、前記所定の擬似演出中に指示される指示内容を決定する指示決定手段を備え、
前記自動操作判定手段は、少なくとも前記指示決定手段によって決定された指示内容および前記大当り遊技を実行するか否かの抽選の結果に基づいて前記自動制御手段を作動させるか否かを決定するようにしたことを特徴とする弾球遊技機。
【請求項４】
請求項１又は２に記載の弾球遊技機において、
前記指示手段により指示が行われた場合における前記自動操作判定手段により前記自動操作を行なうと判定する確率を、前記大当り遊技を実行するか否かの抽選にて大当り遊技を実行しないと決定された場合よりも前記大当り遊技を実行させると決定された場合のほうが高くなるように設定したことを特徴とする弾球遊技機。
【発明の詳細な説明】
【技術分野】
【０００１】
本発明は弾球遊技機、特に前面に、遊技者が操作可能な操作手段を備え、遊技の演出として操作手段を操作させる構成とした弾球遊技機に関する。
【背景技術】
【０００２】
従来の弾球遊技機であるパチンコ機には、その前面に遊技者が操作可能な操作ボタン（演出ボタン）を設け、リーチ演出など特定の演出の一環として遊技者に操作ボタンを操作するように促し、遊技者が操作ボタンを操作すると所定の演出を行い、所定の演出の違いにより、遊技者の期待感に変化を与えているようにしたものがある。
【０００３】
また、この種のパチンコ機では、近年、演出効果を向上するために、演出ボタンを上方へ突出可能に設けて、特定の演出時に自動的に突出作動させたり、演出ボタンの外周部に設置されたジョグダイヤルを自動的に回転作動させて、演出効果を向上することが考えられている（例えば、後記特許文献１、２、３、４参照）。
特許文献１、２、３に記載のパチンコ機の演出ボタン（ボタン式演出操作装置）は、いずれも突出作動の初期にはコイルスプリングの付勢力で勢いよく突出せしめ、途中から電動モータにより回転するピニオンとこれに噛合するラックとからなる移動用の機構部、又は、電動モータにより回転するカムとそのカム面に摺動するピンとからなる移動用の機構部により突出最大位置まで大きく突出移動させるようにしている。
特許文献４に記載のパチンコ機は、電気的回転駆動手段によりジョグダイヤル（操作部材）を正回転と逆回転とを交互に繰り返し小刻みに作動せしめてジョグダイヤルに触れた遊技者の指や手のひらに振動を伝えるようにしている。
【先行技術文献】
【特許文献】
【０００４】
【特許文献１】特開２０１１−２１２０４８号公報
【特許文献２】特開２０１１−２１２０４９号公報
【特許文献３】特開２０１１−２１２０５０号公報
【特許文献４】特開２０１１−２０６１２６号公報
【発明の概要】
【発明が解決しようとする課題】
【０００５】
しかしながら、従来のように演出ボタンを自動で突出作動させたりジョグダイヤルを自動で小刻みに作動させて演出ボタンやジョグダイヤルの操作を促す演出を行なう構成であっても、必ずしも遊技者による演出ボタンやジョグダイヤルの操作が特別図柄の抽選結果に反映されるとは限らない。更には演出ボタンやジョグダイヤルを操作しても前記抽選のハズレが続くと、演出ボタンやジョグダイヤルの作動演出に遊技者が飽きてしまい、遊技に対する意欲の低下につながる。
また従来、特別図柄の抽選の期待感を高めるために遊技盤に可動部材を設けてこれを作動させるものがあり、前記のように単に演出ボタンやジョグダイヤルが自動で動くだけでは、遊技者が触ることのできないものが動くのか触れることができるものが動くのかの相違があるのみで、遊技者にとっては演出ボタンやジョグダイヤルを自動に動かすことに余り価値があることではないと考えられている。
そこで本発明は上記事情に鑑み、操作手段を用いる演出に意外性のある演出を行ない、遊技者を飽きさせることなく、遊技に対する遊技者の意欲を向上せしめる興趣の豊かな弾球遊技機を提供することを課題としてなされたものである。
【課題を解決するための手段】
【０００６】
請求項１に記載の発明は、始動口への遊技球の入球に起因して抽出した乱数値によって遊技者に有利な大当り遊技を発生させるか否かを抽選し、該抽選結果を特別図柄の変動表示後の確定表示により報知する主制御装置と、
該主制御装置から送信される信号に基づいて制御を行う複数のサブ制御装置と、
該サブ制御装置に設けられ、前記信号に基づいて演出図柄表示装置にて表示させる前記特別図柄の擬似演出を複数の演出の中より選択する擬似演出選択手段と、
前記サブ制御装置に接続され、遊技者により操作可能な操作手段と、
該操作手段が操作されたことを検知する操作検知手段と、
所定の前記擬似演出の最中に遊技者に対して指示を行う指示手段と、
該指示手段の指示内容に応じて、遊技者による前記操作手段の手動操作が適正か否かを判定する適正判断手段と、
指示通りの操作が行われて前記適正判定手段により適正と判定された場合に、変動中の特別図柄の抽選結果を示唆する演出を行う抽選結果示唆手段と、を備えた弾球遊技機において、
前記手動操作以外に前記操作手段を自動操作せしめて前記操作検知手段に検知させるようになす自動制御手段と、
該自動制御手段を作動させて自動操作を行わせるか否かを判定する自動操作判定手段と、を備え、
前記指示手段によって指示がなされ、前記自動操作判定手段によって前記自動操作させると判定された場合には、前記適正判断手段により操作が適正と判断されるように前記操作手段を自動操作せしめるように構成する。
【０００７】
これによれば、単に操作手段が自動に動くだけではなく、指示された内容通りに正確に自動操作されることとなり、遊技者に新鮮味と驚嘆を与えることができる。また、常に自動で操作手段が動くのではなく、自動操作判定手段による判断がなされたときのみ操作手段を自動で操作させる一方、遊技者が手動操作しなければならない場合も設けたので、自動操作か手動操作かといった遊技者の期待感やスリル感を高めることができ、遊技者を飽きさせることなく、遊技に対する遊技者の意欲を向上せしめることができる。
【０００８】
尚、前記操作手段は、一つの構成であっても複数の構成であってもよい。例えば操作手段は、プッシュボタン、ジョグダイヤル、十字キー、キーボードなどであってもよい。
前記指示手段、適正判断手段、自動制御手段、自動操作判定手段、指示決定手段はサブ制御装置に設けることが望ましい。
前記抽選結果を示唆する演出とは、具体的に大当りとなる可能性を数値で表したり、キャラクタの種類、大きさ、数、色なで表したり、言葉で表したり、光、音などで表すことが望ましい。
前記所定の擬似演出とは、所定のスーパーリーチとすることが望ましい。
前記指示とは、具体的に操作手段を操作する内容であっても、クイズ問題などでもよい。
【０００９】
請求項２に記載の発明は、請求項１に記載の弾球遊技機において、
前記操作手段の操作により文字入力が可能で、操作に対応する文字が前記演出図柄表示装置に表示されるように構成され、
前記指示手段の指示がないときに前記自動操作判定手段が前記自動操作を行うように判定した場合に、
前記自動制御手段は、所定の文字の組み合わせを前記演出図柄表示装置に表示させるように前記操作手段を作動させ、
前記所定の文字の組み合わせによって、変動中の特別図柄の抽選結果を示唆するように構成する。
【００１０】
これによれば、指示が行われなくても操作手段が自動操作されるので、遊技者は自動操作のタイミングが予測できず、遊技者をより驚嘆させることができる。
また、操作手段の動きに対応して文字が表示され、操作毎に表示された文字の組み合わせによって、抽選結果を示唆することにより、遊技者は「こっちに動いてくれ」などの、今までにない斬新な期待をもって遊技ができる。
【００１１】
請求項３に記載の発明は、請求項１に記載の弾球遊技機において、
前記指示手段の指示内容は、複数種類存在し、該複数種類の指示より、前記所定の擬似演出中に指示される指示内容を決定する指示決定手段を備え、
前記自動操作判定手段は、少なくとも前記指示決定手段によって決定された指示内容および前記大当り遊技を実行するか否かの抽選の結果に基づいて前記自動制御手段を作動させるか否かを決定するように構成する。
【００１２】
これによれば、抽選結果によって操作手段を自動操作させるか否かが決定されるので、自動操作の開始により遊技者の大当りへの期待感を高めることができる。また、指示内容によっても自動操作させるか否かが決定されるので、簡単な指示内容のときは、自動操作させないようにすることが望ましい。これは簡単な指示内容で自動操作させてしまったら自動操作の有効性が軽減されてしまうが、複雑な指示内容を遊技者に代わって自動操作させることで自動操作の価値を上げることができる。
【００１３】
請求項４に記載の発明は、請求項１又は２に記載の弾球遊技機において、
前記指示手段により指示が行われた場合における前記自動操作判定手段により前記自動操作を行なうと判定する確率を、前記大当り遊技を実行するか否かの抽選にて大当り遊技を実行しないと決定された場合よりも前記大当り遊技を実行させると決定された場合のほうが高くなるように設定する。
【００１４】
これによれば、指示が行われたときに、抽選結果がハズレのときよりも当りのほうが、自動操作するようにしたので、遊技者の自動操作への期待および大当りへの期待を高めることができる。
【００１５】
尚、請求項１ないし４のいずれかに記載の弾球遊技機において、
前記適正判断手段により適正と判定されるように前記自動制御手段が前記操作手段を自動操作している最中に、遊技者によって、前記自動制御手段の制御内容とは異なる手動操作が行われた場合には、前記適正判断手段が適正ではないと判断するように構成してもよい。
【００１６】
これによれば、操作手段の自動操作の最中に遊技者が操作手段を操作した場合には適正と判断されないようにしたので、自動操作の際には、遊技者は操作手段を操作しなくなる。よって自動操作時に操作手段が遊技者の手などに接触して、遊技者の手を傷めずにすむ。
【００１７】
更に、請求項１ないし４のいずれかに記載の弾球遊技機において、
前記適正判断手段により適正と判定されるように前記自動制御手段が前記操作手段を自動操作している最中に、遊技者によって、前記自動制御手段の制御内容とは異なる手動操作が行われた場合には、前記自動制御手段による自動操作を停止するように構成してもよい。
【００１８】
これによれば、操作手段の自動操作の最中に遊技者が操作手段を操作した場合には自動操作が停止するようにしたので、自動操作の際には、遊技者は操作手段を操作しなくなる。よって自動操作時に操作手段が遊技者の手などに接触して、遊技者の手を傷めずにすむ。
【００１９】
更にまた、請求項１ないし４のいずれかに記載の弾球遊技機において、
前記指示手段は前記操作手段を複数回操作させる指示を行い、
前記適正判定手段は、前記指示に対応する前記操作手段の１回の操作毎に正否を判定し、複数回の指示に対応する操作が全て正しい場合に適正であると判断するようになし、１回の操作が正しくない場合には、その時点で、不適正であると判断するようにし、
前記指示手段の指示は、前記適正判断手段によって１回の操作で正と判断された後に、次の１回の操作を指示するように構成してもよい。
【００２０】
これによれば、自動操作毎に操作が正か判定し、正と判断された場合のみ次の指示を行うようにしたので、自動操作中に早まって遊技者が操作手段を手動操作してしまうと次に進めず、遊技者は自動操作中に操作手段を手動操作しなくなる。よって自動操作時に操作手段が遊技者の手などに接触して、遊技者の手を傷めずにすむ。
【図面の簡単な説明】
【００２１】
【図１】本発明を適用した弾球遊技機の正面図である。
【図２】前記弾球遊技機の遊技盤の正面図である。
【図３】前記弾球遊技機の背面図である。
【図４】前記弾球遊技機の電気ブロック図である。
【図５】前記弾球遊技機の前面に設置された演出ボタンの拡大正面図である。
【図６】図５のVI−VI線に沿う位置での前記演出ボタンの断面図である。
【図７】前記演出ボタンの操作に関する説明図である。
【図８】前記弾球遊技機の主制御装置で実行されるメインルーチンの制御内容を示すフローチャートである。
【図９】前記主制御装置で実行される特別図柄の始動入賞確認処理の制御内容を示すフローチャートである。
【図１０】前記主制御装置における特別図柄の当否判定処理の制御内容を示す第１のフローチャートである。
【図１１】前記当否判定処理の制御内容を示す第２のフローチャートである。
【図１２】前記当否判定処理の制御内容を示す第３のフローチャートである。
【図１３】前記当否判定処理の制御内容を示す第４のフローチャートである。
【図１４】前記主制御装置で実行される特別遊技処理の制御内容を示す第１のフローチャートである。
【図１５】前記特別遊技処理の制御内容を示す第２のフローチャートである。
【図１６】前記特別遊技処理の制御内容を示す第３のフローチャートである。
【図１７】図１７（ａ）は前記弾球遊技機のサブ制御装置で実行される演出内容決定処理の制御内容を示すフローチャート、図１７（ｂ）は演出内容の決定に用いられるテーブルの説明図である。
【図１８】前記サブ制御装置で実行される自動操作判定処理の制御内容を示すフローチャートである。
【図１９】前記サブ制御装置で実行される操作指示演出処理の制御内容を示すフローチャートである。
【図２０】前記サブ制御装置で実行される自動操作開始処理の制御内容を示すフローチャートである。
【図２１】前記自動操作の操作回数と作動率に関する説明図である。
【図２２】前記弾球遊技機の演出図柄表示装置に表示される演出表示の第１の表示態様を示す図である。
【図２３】前記演出図柄表示装置に表示される演出表示の第２の表示態様を示す図である。
【図２４】前記演出図柄表示装置に表示される演出表示の第３の表示態様を示す図である。
【図２５】前記演出図柄表示装置に表示される演出表示の第４の表示態様を示す図である。
【図２６】前記演出図柄表示装置に表示される演出表示の第５の表示態様を示す図である。
【図２７】前記演出図柄表示装置に表示される演出表示の第６の表示態様を示す図である。
【図２８】前記演出表示装置に表示される演出表示に関する説明図である。
【図２９】前記サブ制御装置で実行される自動操作処理の制御内容を示すフローチャートである。
【図３０】前記サブ制御装置で実行される文字入力表示処理の制御内容を示すフローチャートである。
【図３１】前記演出図柄表示装置に表示される他の演出表示の第１の表示態様を示す図である。
【図３２】前記演出図柄表示装置に表示される他の演出表示の第２の表示態様を示す図である。
【図３３】前記演出図柄表示装置に表示される他の演出表示の第３の表示態様を示す図である。
【図３４】前記演出表示装置に表示される他の演出表示に関する説明図である。
【図３５】本発明の弾球遊技機に用いられる他の演出ボタンを示す図である。
【発明を実施するための形態】
【００２２】
本発明を適用した実施形態の弾球遊技機たるパチンコ機を説明する。図１に示すように、パチンコ機１は、縦長の固定外郭保持枠をなす外枠１０にて構成の各部を保持する構造としてある。外枠１０には、左側の上下の位置に設けたヒンジ１０１を介して、板ガラス１１０が嵌め込まれた前枠(ガラス枠)１１および図略の内枠が開閉可能に設けてある。尚、これら前枠１１および前記内枠はシリンダ錠１８により外枠１０に閉鎖ロックされ、シリンダ錠１８に所定の鍵を挿入し、鍵を時計回りに操作して前記内枠を開放するようになし、反時計まわりの操作により前枠１１を開放する。
前枠１１の板ガラス１１０の奥には前記内枠に保持された遊技盤２（図２）が設けてある。
【００２３】
前枠１１の上部の左右両側位置にはそれぞれスピーカ１１２が設置してあり、これらにより遊技音が出力され、遊技の趣向性を向上させる。また前枠１１には遊技状態に応じて発光する枠側装飾ランプ１１３のほか、遊技の異常を報知するＬＥＤ類が設けてある。
【００２４】
前枠１１の下半部には上皿１２と下皿１３とが一体に形成してある。下皿１３の右側には発射ハンドル１４が設けてあり、該発射ハンドル１４を時計回りに操作することにより発射装置が作動して、上皿１２から供給された遊技球が遊技盤２に向けて発射される。また上皿１２には賞球が払い出される。
下皿１３は上皿１２から溢れた賞球を受ける構成で、球抜きレバーの操作により下皿１３に溜まった遊技球を遊技店に備えられた別箱(ドル箱)に移すことができる。
【００２５】
本パチンコ機１は所謂ＣＲ機であって、プリペイドカードの読み書きを行うプリペイドカードユニット(ＣＲユニット)６０が隣接してある。パチンコ機１には上皿１２の右側に球貸ボタン１７１、精算ボタン１７２および清算表示装置１７３が設けてある。
また上皿１２の中央位置には遊技者が操作可能な演出ボタン１５とジョグダイヤル１６とが設置されている。これらはいずれも特許請求の範囲に記載の操作手段に相当する。
【００２６】
図２は遊技盤２を示し、遊技盤２には外レール２０１と内レール２０２とによって囲まれた略円形の遊技領域２０が形成されている。遊技領域２０には、その中央部にセンターケース２００が装着されている。
センターケース２００は中央に演出図柄表示装置２１（全体の図示は省略）のＬＣＤパネルが配設されている。またセンターケース２００には、周知のものと同様にワープ入口、ワープ樋、ステージなどが設けられている。
【００２７】
センターケース２００の左側には普通図柄の作動ゲート（作動口）２２が設置されている。
センターケース２００の直下には特別図柄（以下、単に特図という）の抽選を実行する始動口として、常時入球（入賞）可能な第１特図始動口２３Ａと、チューリップ式普通電動役物からなる第２特図始動口２３Ｂとが上下位置に設置されている。
該第２特図始動口２３Ｂは普通電動役物（以下、単に普電役物という）の開放時にのみ入球（入賞）可能である。普電役物は、遊技球が作動ゲート２２を通過したことに起因して実行される普通図柄（以下、単に普図という）の抽選で当りとなると所定時間開放する。
【００２８】
第２特図始動口２３Ｂの下方には、開閉板にて開閉される大入賞口２４が配され、盤面最下部にはアウト口２０３が設けられている。また、第２特図始動口２３Ｂの左側位置には複数の普通入賞口２５が配されている。
尚、遊技盤２の遊技領域２０には、多数の遊技釘や風車が植設されている。
【００２９】
図３に示すように、パチンコ機１の裏側は、前記遊技盤２を脱着可能に取付ける内枠３０が収納されている。内枠３０は、前記前枠１１と同様に、一方の側縁（図３の右側）の上下位置が前記外枠１０にヒンジ結合され開閉可能に設置されている。内枠３０には、遊技球流下通路が形成されており、上方(上流)から球タンク３１、タンクレール３２、払出ユニット３３が設けられ、払出ユニット３３の中には払出装置が設けられている。この構成により、遊技盤２０の入賞口に遊技球が入賞すれば球タンク３１からタンクレール３２を介して所定個数の遊技球（賞球）が払出ユニット３３により払出球流下通路を通り前記上皿１２に払い出される。また、本実施形態では前記賞球を払い出す払出ユニット３３により前記貸出ボタン１７１の操作で払い出される貸球も払い出す構成としてある。
また、パチンコ機１の裏側には、主制御装置４０、払出制御装置４１、サブ統合制御装置４２、演出図柄制御装置４３、発射制御装置４４、電源基板４５が設けられている。
【００３０】
主制御装置４０、サブ統合制御装置４２、演出図柄制御装置４３は遊技盤２に設けられ、払出制御装置４１、発射制御装置４４、電源基板４５は内枠３０に設けられている。図３では発射制御装置４４が描かれていないが、払出制御装置４１の下に設けてある。
【００３１】
また、球タンク３１の右側には、外部接続端子板３８が設けてあり、外部接続端子板３８により、遊技状態や遊技結果を示す信号が図示しないホールコンピュータへ送られる。尚、従来はホールコンピュータへ信号を送信するための外部接続端子板には、盤用(遊技盤側から出力される信号をホールコンピュータへ出力するための端子)と枠用（枠側（外枠１０、前枠１１、内枠３０）から出力される信号をホールコンピュータへ出力するための端子）の２種類を用いているが、本実施形態では、ひとつの外部接続端子板３８を介して遊技状態や遊技結果を示す信号をホールコンピュータへ送信する。
【００３２】
図４は本パチンコ機１の電気的構成を示すもので、遊技の制御を司る主制御装置４０と払出制御装置４１を中心に、サブ制御装置としてサブ統合制御装置４２および演出図柄制御装置４３を具備する構成である。主制御装置４０、払出制御装置４１、サブ統合制御装置４２および演出図柄制御装置４３においては、何れもＣＰＵ、ＲＯＭ、ＲＡＭ、入力ポート、出力ポート等を備え、これらの制御装置は何れもＣＰＵにより、２ｍｓ周期又は４ｍｓ周期の割り込み信号に起因してＲＯＭに搭載しているメインルーチンおよびサブルーチンからなるプログラムが開始され、各種の制御が実行される。
発射制御装置４４にはＣＰＵ、ＲＯＭ、ＲＡＭ等が設けられていない。しかしこれに限るわけではなく、発射制御装置４４にＣＰＵ、ＲＯＭ、ＲＡＭ等を設けてもよい。
【００３３】
主制御装置４０は、裏配線中継端子板５３０および外部接続端子板３８を介して遊技施設のホールコンピュータ５００と電気的に接続される。また主制御装置４０には、裏配線中継端子板５３０や遊技盤中継端子板５３１を介して、前枠（ガラス枠）１１および内枠３０が開放しているか否か検出するガラス枠開放ＳＷ（スイッチ）５０１、内枠開放ＳＷ５０２、第１特図始動口２３Ａへの入球を検出する第１始動口ＳＷ５０３、第２特図始動口２３Ｂへの入球を検出する第２始動口ＳＷ５０４、普図始動ゲート２２への入球を検出する普通図柄作動ＳＷ５０５、普通入賞口２５への入球を検出する左入賞口ＳＷ５０６、大入賞口２４への入球を検出するカウントＳＷ５０７等の検出信号が入力される。
【００３４】
また主制御装置４０は搭載しているプログラムに従って動作して、上述の検出信号などに基づいて遊技の進行に関わる各種のコマンドを生成し、払出制御装置４１や、演出中継端子板５３２を介してサブ統合制御装置４２、演出図柄制御装置４３にコマンドを出力し、図柄表示装置中継端子板５３３を介して特図表示装置２６、特図保留数表示装置２８、普通図柄表示装置２７および普図保留数表示装置２９の表示制御を行なう。
【００３５】
主制御装置４０は、大入賞口２４の開閉駆動する大入賞口ソレノイド５０８を制御して大入賞口２４を開放作動せしめる。また第２特図始動口２３Ｂの電動役物を開閉する普電役物ソレノイド５０９の作動を制御して第２特図始動口２３Ｂを開閉する。
主制御装置４０からの出力信号は試験信号端子にも出力される他、図柄変動や大当り等の管理用の信号が外部接続端子板３８を経てホールコンピュータ５００に送られる。
主制御装置４０と払出制御装置４１とは双方向通信が可能である。
【００３６】
払出制御装置４１は、裏配線中継端子板５３０や払出中継端子板５３４を介して球タンク３１が空状態になったことを検出する球切れＳＷ５２０、遊技球が払い出されたことを検出する払出ＳＷ５２２、遊技球貯留皿が満杯状態になったことを検出する満杯ＳＷ５２３等の検出信号が入力される。主制御装置４０から送られてくるコマンドに応じて払出モータ５２１を稼働させて遊技球を払い出させる。また、ＣＲユニット端子板５３５を介してＣＲユニット１６と電気的に接続され、精算表示装置１７３を介して球貸および精算ＳＷ１７１，１７２による貸出要求、精算要求の操作信号を受け付け、ＣＲユニット６０とデータを送受し、貸出要求信号に応じて払出モータ５２１を稼働させて貸球を払い出させ、ＣＲユニット６０に挿入されているプリペイドカードの残高表示を制御する。
【００３７】
発射制御装置４４は、発射停止ＳＷ５２４、発射ハンドル１４に遊技者が接触（操作）していることを検出するタッチＳＷ５２５等の検出信号が入力される。払出制御装置４１を介して主制御装置４０から送られてくるコマンド（タッチＳＷ５２５の信号や遊技状況を反映している）、発射ハンドル１４の回動信号および発射停止ＳＷ５２４の信号に基づいて発射モータ５２６を制御して遊技球を発射および停止させ、タッチランプの点灯を制御する。
【００３８】
サブ統合制御装置４２には、音量調節ＳＷ、演出ボタン１５の操作を検出する演出ボタン検出ＳＷ５５０、ジョグダイヤル１６の操作を検出する第１および第２ジョグダイヤル検出ＳＷ５５１，５５２などの操作検出信号が入力される。
またサブ統合制御装置４２は、演出ボタン１５およびジョグダイヤル１６を自動に操作するように演出ボタン押下ソレノイド５５３、ジョグダイヤル回転モータ５５４と接続されこれらを駆動制御可能である。
更にサブ統合制御装置４２は、主制御装置４０から送られてくるコマンドに応じて、スピーカ１１２を作動させて音声を出力することや、各種ＬＥＤや各種ランプ１１３の点灯、消灯等を制御する。更に演出図柄制御装置４３へキャラクタなどを表示する擬似演出や特図の擬似図柄の表示態様のコマンドを送信する。
【００３９】
演出図柄制御装置４３は、ＬＣＤパネルユニットや付属ユニットと共に演出図柄表示装置２１を構成している。演出図柄制御装置４３は、サブ統合制御装置４２から送られてくるコマンドに応じて演出図柄表示装置２１のＬＣＤパネルの表示を制御する。
【００４０】
図５、図６に示すように、演出ボタン１５およびジョグダイヤル１６は共通のベース部Ｂに組付けられており、円形押しボタン式の演出ボタン１５の外周を囲むように環状のジョグダイヤル１６が設けられている。そしてベース部Ｂの内部には演出ボタン１５内部の中心位置に、演出ボタン１５の押下可能な操作可動部１５１を下方へ引き下げ可能なように前記演出ボタン押下ソレノイド５５３が設けられている。またベース部Ｂの内部のジョグダイヤル１６外側位置には、歯車５５５を介してジョグダイヤル１６を回転可能とする前記ジョグダイヤル回転モータ５５４が設置されている。
【００４１】
前記ベース部Ｂ内部には、演出ボタン１５およびジョグダイヤル１６の直下位置に図７（ａ）に示す演出ボタン基板Ｂ１が設けられている。演出ボタン基板Ｂ１には、演出ボタン１５が押されたことを検出するための前記演出ボタン検出ＳＷ５５０と、ジョグダイヤル１６の回転を検出するための第１および第２の２個のジョグダイヤル検出ＳＷ５５１，５５２が実装されている。演出ボタン１５が押されていない状態（通常状態）では、前記演出ボタン検出ＳＷ５５０はハイレベル（Ｈｉ）、演出ボタン１５が押されると、前記検出ＳＷ５５０はロウレベル（Ｌｏ）を出力するように構成されている（図７（ｂ））。
前記ジョグダイヤル検出ＳＷ５５１，５５２はフォトリフレクタで、図示しない対向面に円形に配置された１２枚のリフレクタにて光が反射されるか否かを検出することにより、それぞれＨｉまたはＬｏを出力するように構成されている。ジョグダイヤル１６が回転されていない状態では前記検出ＳＷ５５１，５５２は共にＨｉまたは共にＬｏを出力する。出力がどちらになるかは、ジョグダイヤル１６の回転角度による。ジョグダイヤル１６は前記のようにリフレクタが１２枚配置されているため、１５度の分解能で回転角度を検出可能にされており、例えば前記検出ＳＷ５５１，５５２の各出力が共にＨｉ（以下、Ｈｉ−Ｈｉと記す）だった場合、ジョグダイヤル１６を左右いずれかの方向に１５度回転させると、前記検出ＳＷ５５１，５５２の出力がＬｏ−Ｌｏとなる。つまりジョグダイヤル１６の停止位置では、前記検出ＳＷ５５１，５５２の出力はＨｉ−ＨｉまたはＬｏ−Ｌｏとなる。
【００４２】
ここで仮に前記検出ＳＷ５５１，５５２の出力がＨｉ−Ｈｉであったとし、ここから、ジョグダイヤル１６が時計回り（右回り）に回転されると、前記検出ＳＷ５５１，５５２の出力がＨｉ−Ｈｉ→Ｈｉ−Ｌｏ→Ｌｏ−Ｌｏ→Ｌｏ−Ｈｉ→・・・と変化していく。ジョグダイヤル１６が逆方向に回転されると、前記検出ＳＷ５５１，５５２の出力がＨｉ−Ｈｉ→Ｌｏ−Ｈｉ→Ｌｏ−Ｌｏ→Ｈｉ−Ｌｏ→・・・と変化していく。つまり、前記検出ＳＷ５５１，５５２の出力が、これらのいずれのパターンで変化したかを検出することにより、ジョグダイヤル１６が左右いずれの方向に回転されたかを知ることができ、Ｈｉ−ＨｉまたはＬｏ−Ｌｏが何回発現したかにより、ジョグダイヤル１６が何度回転されたかを検出することが可能に構成されている。
【００４３】
本パチンコ機１は、始動ゲート２２への入球に起因して普図の当否抽選を行い、普図表示装置２７の図柄変動を開始する。前記抽選結果が当りであれば、表示装置２７に普図の当り図柄を確定表示して前記普電役物を開放する。これにより第２特図始動口２３Ｂへの入賞が可能となる。
第１又は第２特図始動口２３Ａ，２３Ｂへの入賞があると、これに起因して乱数値が抽出され、該乱数値に基づいて特図の当否抽選を行い、特図表示装置２６、および演出図柄表示装置２１の図柄変動を開始する。抽選結果が大当りであれば、各表示装置２１，２６に大当り図柄を確定表示して大入賞口２４の開放を伴う大当り遊技（特別遊技）を実行する構成である。また大当り遊技終了後に、大当りとなった特図に応じて、特図の当選確率が高確率に変更される確変遊技状態や、特図の変動時間を短縮するとともに特図変動の発生に有利な時短遊技状態へと移行可能である。
【００４４】
またパチンコ機１は、特図の変動が当否抽選時に設定された特定の変動パターンで開始された場合、例えば大当り演出やリーチ演出時に遊技者に向けて遊技ボタン１５やジョグダイヤル１６を操作するように示唆し、大当り発生への遊技者の期待感を高める演出を行なう。
【００４５】
以下、パチンコ機１の遊技に関する作動の詳細を、特許請求の範囲に記載の本発明に関わり深い主制御装置４０で実行されるプログラムおよびサブ統合制御装置４２で実行されるプログラムに基づいて説明する。
図８は主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断はＲＡＭの特定アドレスに特定の数値が書き込まれているか否かに基づいて行われ、ここで否定判断（Ｓ１００：ｎｏ）なら初期設定（Ｓ１１５）を実行する。前述の正常割り込みか否かを判断するための数値は、この初期設定の一環としてＲＡＭに書き込まれる。
【００４６】
正常割り込みなら（Ｓ１００：ｙｅｓ）、初期値乱数更新処理（Ｓ１０１）、特図の当否判定用の乱数値である大当り決定用乱数の更新処理（Ｓ１０２）、特図の大当り図柄決定用乱数の更新処理（Ｓ１０３）、普図の当り判定用乱数の更新処理（Ｓ１０４）、特図のリーチに関するリーチ判定用乱数の更新処理（Ｓ１０５）、特図の変動パターンに関する変動パターン決定用乱数の更新処理（Ｓ１０６）、入賞確認処理（Ｓ１０７）、当否判定処理（Ｓ１０８）、各出力処理（Ｓ１０９）、不正監視処理（Ｓ１１０）を行って、次に割り込み信号が入力されるまでの残余時間内には初期乱数更新処理（Ｓ１１１）をループ処理する。
【００４７】
次に、本発明に関わりの深い入賞確認処理（Ｓ１０７）、当否判定処理（Ｓ１０８）および各出力処理（Ｓ１０９）の一部のサブルーチンについて説明する。
図９に示す「始動入賞確認処理」は前記入賞確認処理（Ｓ１０７）のサブルーチンで、第１および第２特図始動口２３Ａ，２３Ｂへの入球があれば（Ｓ２００：ｙｅｓ）、入球に対応する特図の保留記憶が満杯か確認する（Ｓ２０１）。本実施形態における記憶可能な保留記憶数は第１特図、第２特図いずれも４個である。
【００４８】
保留記憶が満杯でなければ（Ｓ２０１：ｎｏ）、Ｓ２０２の抽出乱数保留記憶処理において、前記入球に起因して抽出した複数の乱数値（大当り決定用乱数、大当り図柄決定用乱数、リーチ判定用乱数、変動パターン決定用乱数等）を保留記憶として記憶する。またこの処理では、特図保留数表示装置２８の点灯数を増加させると共にサブ統合制御装置４２に現在の保留記憶数を送信する。
【００４９】
図１０ないし図１３は主制御装置４０で実行される特図の「当否判定処理」のフローチャートを示す。「当否判定処理」では先ず、大入賞口２４を開放させるための特別電動役物が作動中か確認し、作動していなければ（Ｓ３００：ｎｏ）、特図が変動中か確認し、変動中でなければ（Ｓ３０１：ｎｏ）、特図の確定図柄が表示されているか確認する（Ｓ３０２）。尚、特別電動役物が作動中（Ｓ３００：ｙｅｓ）であれば「特別遊技処理」に移行する。
【００５０】
Ｓ３０２の処理で確定図柄が表示中でなければ（Ｓ３０２：ｎｏ）、図１１に示すように、特図の保留記憶があるか確認する（Ｓ３１０）。保留記憶がなければ（Ｓ３１０：ｎｏ）、「特別遊技処理」に移行する。保留記憶があれば（Ｓ３１０：ｙｅｓ）、記憶数を減算し、保留記憶のシフト処理を行う（Ｓ３１１）。該シフト処理により特図の保留記憶のうち最も古い保留記憶が当否判定の対象となる。
【００５１】
次にＳ３１２の処理で、確変フラグを確認して現在の遊技状態が前記確変遊技状態であるか確認する（確変フラグが「１」であれば確変中）。確変中であれば（Ｓ３１２：ｙｅｓ）、確変時の当否判定用テーブルと前記当否判定の対象となる保留記憶の大当り決定用乱数とを対比して大当りか否か当否判定を行う（Ｓ３１３）。
確変中でなければ（Ｓ３１２：ｎｏ）、通常確率（低確率）の当否判定用テーブルと前記大当り決定用乱数とを対比して大当りか否か当否判定を行う（Ｓ３１４）。
【００５２】
続くＳ３１５の処理では、Ｓ３１３又はＳ３１４の処理の当否判定が大当りか否かの確認を行う。
大当りであれば（Ｓ３１５：ｙｅｓ）、Ｓ３１６の処理において、前記当否判定の対象となる保留記憶の大当り図柄決定用乱数に基づいて大当り図柄を決定する。
Ｓ３１７の処理では、前記当否判定の対象となる保留記憶の変動パターン決定用乱数に基づいて、特図表示装置２６に表示される特図の大当り用の変動時間などといった変動パターンを決定する。
【００５３】
変動パターンの決定後、Ｓ３１８で大当り設定処理を行う。この処理では、前記決定された大当り図柄に基づき、大当り遊技の開放パターンの設定を行う。例えば演出図柄表示装置２１で実行される大当り遊技のオープニング演出の時間の設定、エンディング演出の時間の設定、および大入賞口２４の開放態様の設定がなされる。更に大当り遊技終了後の特典遊技状態として確変と時短が付与されるか否かの設定、確変の継続期間を制限する確変カウンタの設定、時短の継続期間を制限する時短カウンタ設定等の処理がなされる。尚、実質的に確変および時短の付与、確変カウンタおよび時短カウンタの設定は「特別遊技処理」で設定され、ここでの処理は仮設定がなされる。
【００５４】
前記Ｓ３１５の処理において、大当りでなくハズレであれば（Ｓ３１５：ｎｏ）、Ｓ３１９の処理において、特図表示装置２６に表示される特図のハズレ用の変動時間などといった変動パターンを決定する。続くハズレ設定処理（Ｓ３２０）では、遊技状態が確変、時短であれば、これらの継続期間をカウントする前記確変カウンタおよび時短カウンタを減算する。
【００５５】
前記Ｓ３１８又はＳ３２０の各設定処理の後、Ｓ３２１の処理では、特図表示装置２６の図柄変動開始制御を行い、サブ統合制御装置４２へ図柄の変動開始コマンド、図柄指定コマンドを送信し、「特別遊技処理」へ移行する。変動開始コマンド、図柄指定コマンドには特図の変動パターン、特図の当否判定の判定（抽選）結果などが含まれる。
【００５６】
図１０のＳ３０１の処理で特図の変動中のときは（Ｓ３０１：ｙｅｓ）、図１２に示すように、図柄の変動時間が経過したことを確認すると（Ｓ３３０：ｙｅｓ）、確定図柄表示処理（Ｓ３３１）において、特図表示装置２６の特図の変動表示を終了させる制御を行い、サブ統合制御装置４２および演出図柄制御装置４３へ擬似図柄の変動表示および演出表示を終了させるように図柄確定コマンドを送信し、「特別遊技処理」へ移行する。
【００５７】
図１０のＳ３０２の処理で特図の確定図柄を表示中であれば（Ｓ３０２：ｙｅｓ）、図１３のＳ３４０の処理に移行して、確定図柄表示時間が終了したか確認する。確定図柄表示時間が終了していなければ（Ｓ３４０：ｎｏ）、「特別遊技処理」へ移行する。
一方、確定図柄表示時間が終了したことを確認すると（Ｓ３４０：ｙｅｓ）、確定図柄表示終了の処理（Ｓ３４１）により特図表示装置２６の特図の確定図柄表示を終了させる制御を行い、サブ統合制御装置４２へ特図に対応する擬似図柄の確定表示を終了させるようにコマンドを送信する。
【００５８】
続いて特図の図柄が大当りになる組合せであるか確認し（Ｓ３４２）、大当りになる組合せであったときは（Ｓ３４２：ｙｅｓ）、確変フラグが「１」であれば（Ｓ３４３：ｙｅｓ）、確変フラグに「０」をセットする（Ｓ３４４）。次に、時短フラグが「１」であれば（Ｓ３４５：ｙｅｓ）、時短フラグに「０」をセットする（Ｓ３４６）。これらの処理により大当り遊技（特別遊技）中での遊技状態を通常状態にリセットする。
【００５９】
Ｓ３４７の処理では条件装置の作動を開始させ、Ｓ３４８の処理では役物連続作動装置の作動を開始させる。条件装置は大当り遊技で役物連続作動装置の作動に必要な装置であり、役物連続作動装置は特別電動役物を連続して作動させる装置である。
そして大当り開始演出処理（Ｓ３４９）によりサブ統合制御装置４２へ大当り演出を開始させるようにコマンドを送信し、「特別遊技処理」に移行する。
【００６０】
Ｓ３４２の処理で、大当りになる組合せでなければ（Ｓ３４２：ｎｏ）、確変フラグが「１」であるか確認し（Ｓ３５０）、確変フラグが「１」であり（Ｓ３５０：ｙｅｓ）、確変カウンタ（回数）が「０」であれば（Ｓ３５１：ｙｅｓ）、確変フラグを「０」にセットする（Ｓ３５２）。
続く処理で時短フラグが「１」であり（Ｓ３５３：ｙｅｓ）、時短カウンタ（回数）が「０」であれば（Ｓ３５４：ｙｅｓ）、時短フラグを「０」にセットする（Ｓ３５５）。
続くＳ３５６の状態指定コマンド送信処理では、遊技状態を示す確変フラグや時短フラグの情報等を含む状態指定コマンドを、サブ統合制御装置４２へ送信する。その後、「特別遊技処理」に移行する。
【００６１】
図１４に示すように、「特別遊技処理」は、先ず、役物連続作動装置が作動中か確認し（Ｓ４００）、作動中であれば（Ｓ４００：ｙｅｓ）、Ｓ４０１の処理で大入賞口２５が開放中か確認する。
Ｓ４０１の処理で大入賞口が開放中でなければ（Ｓ４０１：ｎｏ）、インターバル中か確認し（Ｓ４０２）、インターバル中でなければ（Ｓ４０２：ｎｏ）、大当り終了演出中か確認し（Ｓ４０３）、大当り終了演出中でなければ（Ｓ４０３：ｎｏ）、大当り開始演出時間が経過したか確認し（Ｓ４０４）、大当り開始演出時間が経過していれば（Ｓ４０４：ｙｅｓ）、Ｓ４０５の大入賞口開放処理で大入賞口２５を開放してリターンする。
【００６２】
前記Ｓ４０１の処理で大入賞口開放中であれば（Ｓ４０１：ｙｅｓ）、図１５に示すように、大入賞口２５に規定入賞数（９個）の入賞があったか否かの確認（Ｓ４１０）、又は大入賞口２５の開放時間が終了したか否かを確認して（Ｓ４１１）、いずれか確認できれば大入賞口２５を閉鎖し（Ｓ４１２）、大当りインターバル処理を実行して（Ｓ４１３）、リターンする。大当りインターバル処理では、サブ統合制御装置４２へ大当りのインターバル演出を開始させるようにコマンドを送信する。
【００６３】
図１４の前記Ｓ４０２の処理でインターバル中であれば（Ｓ４０２：ｙｅｓ）、図１５のＳ４１４の処理で大当りインターバル時間が経過したか確認し、経過していれば（Ｓ４１４：ｙｅｓ）、最終ラウンドかどうか確認し（Ｓ４１５）、最終ラウンドであれば、（Ｓ４１５：ｙｅｓ）、大当り終了演出の処理（Ｓ４１６）を実行し、この処理でサブ統合制御装置４２に大当り終了コマンドを送信し、大当り遊技を終了してリターンする。
一方、最終ラウンドでなければ、（Ｓ４１５：ｎｏ）、大入賞口２５の開放処理（Ｓ４１７）を実行してリターンする。
【００６４】
図１４のＳ４０３の処理で大当り終了演出中であれば（Ｓ４０３：ｙｅｓ）、図１６に示すように、大当り終了演出時間の終了時間が経過したか確認し（Ｓ４２０）、経過していれば（Ｓ４２０：ｙｅｓ）、役物連続作動装置の作動を停止する処理（Ｓ４２１）を実行し、条件装置の作動を停止する処理（Ｓ４２２）を実行する。
【００６５】
続く、Ｓ４２３〜Ｓ４２８の処理では図１１の前記大当り設定処理（Ｓ３１８）で設定された設定内容を参照し、大当り遊技後の遊技状態を設定する。即ちＳ４２３において、大当り遊技終了後に確変遊技に移行されるか確認し、移行される場合（Ｓ４２３：ｙｅｓ）は、確変回数設定処理（Ｓ４２４）および確変フラグに「１」をセットする処理（Ｓ４２５）を行う。またＳ４２６において、大当り遊技終了後に時短遊技に移行されるか確認し、移行される場合（Ｓ４２６：ｙｅｓ）は、時短回数設定処理（Ｓ４２７）および時短フラグに「１」をセットする処理（Ｓ４２８）を行う。
【００６６】
その後、サブ統合制御装置４２へ大当り遊技終了のコマンドを送信するとともに（Ｓ４２９）、状態指定コマンドとして確変遊技状態、時短遊技状態へ移行するか否かの情報をサブ統合制御装置４２等へ送信する（Ｓ４３０）。その後にリターンする。
【００６７】
続いてサブ統合制御装置４２で実行される本発明に関わりの深いプログラム処理について説明する。
図１７（ａ）に示す「演出内容決定処理」は、演出図柄表示装置２１の演出内容の決定、演出ボタン１５やジョグダイヤル１６などの操作手段を用いる演出を行なうか否か、更に操作手段を用いる演出の内容などの決定を行う。
この処理では先ずＳ５００の処理において、主制御装置４０より前記「当否判定処理」のＳ３２１の処理（図１１）で発信された特図変動開始コマンド（変動コマンド）を受信したか否かの確認を行う。コマンドの受信が確認できれば（Ｓ５００：ｙｅｓ）、特図の当否判定の結果が大当りか否かを確認し（Ｓ５０１）、大当りであれば（Ｓ５０１：ｙｅｓ）、Ｓ５０２の大当り時演出決定処理において大当り時の演出内容を決定し、大当り出なければＳ５０３のハズレ時演出決定処理においてハズレ時の演出内容を決定する。
【００６８】
前記大当り時演出決定処理（Ｓ５０２）或いはハズレ時演出決定処理（Ｓ５０３）では、前記「当否判定処理」で決定された特図の大当り図柄又はハズレ図柄と特図の変動時間によって演出内容が決定され、更に図柄に応じて操作手段を用いた演出を行なうか否か、行なう場合には操作の指示内容が決定される。この場合、前記大当り時演出決定処理（Ｓ５０２）では、図７（ｂ）に示す予め複数種類の操作指示が設定された「テーブルＡ」から一つの操作指示の種類が選択される。一方、ハズレ時演出決定処理（Ｓ５０３）では予め複数種類の操作指示が設定された「テーブルＢ」から一つの操作指示の種類が選択される。
【００６９】
例えば操作指示の種類として各テーブルＡ，Ｂにはそれぞれ、ジョグダイヤル１６を「右−左−右−左」へと回転操作させ、最後に演出ボタン１５を押下させる指示内容や、単にジョグダイヤル１６を「右−左」に回転操作させて最後に演出ボタン１５を押下させる指示内容など、操作数の異なる種類のものを設けている。
また大当り時に用いられるテーブルＡは、「右−左−右−左−押」や「左−右−左−右−押」など操作数の多い指示内容の選択率が「３/１２」であり、一方、「右−左−押」や「左−右−押」など操作数の少ない指示内容の選択率が「１/１２」で、操作数の多い指示内容の方が少ない指示内容よりも高い確率で選択されるように構成されている。
ハズレ時のテーブルＢでは操作数の多い指示内容の選択率は「１/１２」であるのに対して、操作数の少ない指示内容の選択率は「３/１２」で、操作数の少ない指示の方が多い指示よりも高い確率で選択される。
【００７０】
そしてＳ５０２の処理又はＳ５０３の処理の後、Ｓ５０４の変動開始処理において、演出図柄制御装置４３を介して演出図柄表示装置２１の演出を開始（変動開始）させる。尚、Ｓ５０２の処理およびＳ５０３の処理は特許請求範囲に記載の「擬似演出選択手段」と「指示決定手段」とに相当する。
【００７１】
続いて図１８に示す「自動操作判定処理」において、抽選結果とＳ５０２、Ｓ５０３で決定された演出に応じて、演出ボタン１５やジョグダイヤル１６を前記指示通りに自動で操作するか否かの判定を行う。この処理では先ず、前記「演出内容決定手段」において演出ボタン１５やジョグダイヤル１６の操作指示演出を行なうことが決定されたか否かを確認し（Ｓ５５０）、操作指示演出が決定されているのであれば（Ｓ５５０：ｙｅｓ）、演出ボタン１５やジョグダイヤル１６を前記指示通りに自動で操作するか否かの判定を行う（Ｓ５５１）。この場合、自動操作をするか否かの判定は、サブ統合制御装置４２が主制御装置４０から送られた変動パターンを受信したことに起因して乱数が抽出され、該乱数によって決定される構成とされている。例えば、前記乱数を「０」〜「９」の１０個の乱数で構成し、抽出された乱数が「０〜７」の範囲に含まれれば特図の判定が大当りの場合に自動操作を行なうようになし、抽出された乱数が「７」であれば、特図の判定がハズレの場合に自動操作を行なうように構成してもよい。
そして自動操作させるか否かの確認を行ない（Ｓ５５２）、自動操作させるのであれば（Ｓ５５２：ｙｅｓ）、準備フラグに「１」をセットする（Ｓ５５３）。
尚、本実施形態では「自動操作判定処理」で判定される自動操作の作動率は、図２１に示すように、特図の判定が大当りの時、ハズレの時、更には指示内容の操作回数によって相違するように構成してある。例えば、大当り時で操作内容が「右−左−右−左−押」などの操作回数が「５回」の自動操作の作動率を「７/２０」として最も高く設定されている。続く作動率が高い順に大当り時の「４回」、大当り時の「３回」、ハズレ時の「５回」、ハズレ時の「４回」とされ、ハズレ時の「３回」では自動操作を行なわない。この様に大当り時の自動操作の作動率を高くすることで、遊技者の期待感を高めることができ、一方、ハズレ時には自動操作の作動率を低くして手動操作の割合を高くすることで遊技者のスリル感を高める演出ができる。
また、「自動操作判定処理」では、自動操作を行なうか否かの判定を特図の当否判定が大当り時にのみ判定を行い、大当り時にのみ自動操作を可能とし、ハズレ時においては自動操作を行なわないようにしてもよい。
尚、Ｓ５５１の処理は特許請求範囲に記載の「自動操作判定手段」に相当する。
【００７２】
図１９に示す「操作指示演出処理」では、手動操作（遊技者による）および自動操作のいずれの場合でも、操作の指示と指示に対する操作が適正であるか否かの判断等を行う。先ずＳ６００の処理において、前記Ｓ５０４の処理により擬似図柄の変動が開始され、操作指示演出が開始されたか否か確認する。演出開始を確認できれば（Ｓ６００：ｙｅｓ）、操作指示演出実行の準備処理を行う（Ｓ６０１）。続いて前記準備フラグが「１」であるか否かを確認し（Ｓ６０２）、フラグが確認できれば（Ｓ６０２：ｙｅｓ）、Ｓ６０３の操作注意表示処理において演出ボタン１５やジョグダイヤル１６が自動操作されることに伴う注意事項を演出図柄表示装置２１に表示せしめる。次に自動作動フラグに「１」をセットする（Ｓ６０４）。
【００７３】
自動作動フラグに「１」をセットすることにより、図２０示す「自動操作開始処理」により前記演出ボタン押下ソレノイド５５３および前記ジョグダイヤル回転モータ５５４を駆動せしめて演出ボタン１５およびジョグダイヤル１６を自動操作せしめる。
「自動操作開始処理」では先ず、前記自動フラグが「１」であるか否か確認をし（Ｓ７００）、自動フラグが「１」であり（Ｓ７００：ｙｅｓ）、かつ自動操作が既に開始されていなければ（Ｓ７０１：ｎｏ）、前記演出ボタン押下ソレノイド５５３および前記ジョグダイヤル回転モータ５５４を駆動せしめて演出ボタン１５およびジョグダイヤル１６を自動操作せしめる（Ｓ７０２）。尚、Ｓ７０２の処理は特許請求範囲に記載の「自動制御手段」に相当する。
【００７４】
このように自動操作が実行されると、図１９のＳ６０５の操作指示入力適正処理において、前記演出ボタン検出ＳＷ５５０、第１および第２のジョグダイヤル検出ＳＷ５５１，５５２の検出信号が前記操作指示の内容通りに適正に入力されて自動操作が適正に実行されたか否かの確認を行う。自動操作が適正と確認されると（Ｓ６０５：ｙｅｓ）、Ｓ６０６の処理において、その自動操作が最終回の指示に対するものであったか否かの確認を行う。
【００７５】
自動操作が最終回の指示に対するものでなければ（Ｓ６０６：ｎｏ）、１回の指示に対する操作が適正であったことを示唆する演出（一時指示適正演出処理）を行ない（Ｓ６０７）、続いて次の指示表示を行うように指示演出更新処理（Ｓ６０８）を行う。その後、前記Ｓ６０５の処理へ戻り、Ｓ６０５〜Ｓ６０８の処理をＳ６０６の処理で最終回の指示と確認されるまで繰り返し行う。
【００７６】
前記Ｓ６０６の処理で最終回と確認されると（Ｓ６０６：ｙｅｓ）、Ｓ６０９の処理で前記自動作動フラグが「１」であるか確認し、フラグが「１」であれば（Ｓ６０９：ｙｅｓ）、自動作動フラグを「０」に戻して（Ｓ６１０）、続くＳ６１１の処理において、演出ボタン１５およびジョグダイヤル１６の操作が指示通りに操作された（クリアされた）ことを示唆する最終指示適正演出処理を行なう。この処理では前記示唆を演出図柄表示装置２１に表示せしめる。
【００７７】
前記Ｓ６０５の処理で操作が適正と確認されなければ（Ｓ６０５：ｎｏ）、Ｓ６１２の処理で前記自動作動フラグが「１」であるか確認し、フラグが「１」であれば（Ｓ６１２：ｙｅｓ）、自動作動フラグを「０」に戻す（Ｓ６１３）。該Ｓ６１３により自動作動フラグを「０」に戻すことは自動操作を中止することとなる。例えば、自動操作中に遊技者が手動操作を行なった場合、手動操作が指示に対して間違った操作では当然に不適正であると判定され、手動操作が指示通りであっても自動操作により操作が２回行なわれることとなって不適正と判断される。尚、自動操作によれば指示通りの操作を正確に実行しようとするが、手動操作がなされることにより、自動操作の制御内容とは異なる操作が行なわれたと見做す。
続くＳ６１４の処理において、演出図柄表示装置２１に操作が指示通りに行なわれなかったことを示唆する指示不適正演出処理を行なう。
【００７８】
前記Ｓ６０２の処理で準備フラグが「１」でなければ（Ｓ６０２：ｎｏ）、遊技者による手動操作の演出であり、前記Ｓ６０５の処理以降において自動操作時と同様に、操作（手動操作）が適切であるか判断し、該判断に応じて適正演出処理（Ｓ６１１）又は不適正演出処理（Ｓ６１４）を行なう。
尚、Ｓ６０５の処理は特許請求範囲に記載の「適正判断手段」に相当し、Ｓ６０１の処理やＳ６０８の処理等は「指示手段」に相当し、またＳ６１１の処理は「抽選結果示唆手段」に相当する。
【００７９】
次に演出ボタン１５およびジョグダイヤル１６を用いる前記操作指示演出時に演出図柄表示装置２１に表示される表示態様の一例を説明する。図２２ないし図２４は遊技者の手動操作による演出であり、かつ操作をクリアして大当りとなった時の表示態様の一例を示す。
図２２（ａ）に示すように演出図柄表示装置２１の画面に演出が開始されると、特図に対応する三桁の擬似図柄２１０が変動を開始し、主人公２１１が表示される。次に主人公２１１が岩に刺さった剣２１２を見つけ、剣２１２を獲得するように示唆表示２１３がなされる（図２２（ｂ）（ｃ））。そして剣２１２を獲得するための操作指示２１３がなされる（図２２（ｄ））。操作指示２１３に従って図２２（ｅ）に示すように遊技者がジョグダイヤル１６を左に回転操作すると、操作が適正であり主人公２１１が岩を砕いて剣を得ようとする（図２２（ｆ））。
【００８０】
続いて図２３（ａ）に示すように、次の操作指示２１３がなされる。指示２１３に従って遊技者がジョグダイヤル１６を右に回転操作すると、操作が適正であり、前記擬似図柄２１０がリーチ表示となって主人公２１１が強く岩を砕いて剣を得ようとする（図２３（ｂ）（ｃ））。更に次の操作指示２１３に従い演出ボタン１５を押下すると、操作が適正であれば、図２３（ｆ）、図２４（ａ）に示すように、主人公２１１が岩を砕いて剣２１２を得る。
【００８１】
その後、敵方２１４が現れ、剣２１２を使って敵方２１４と戦う（図２４（ｃ）（ｄ）（ｅ））。特図の判定が大当りであれば、主人公２１１が敵方２１４を倒し、三桁の数値が揃った擬似図柄２１０が確定表示されて大当りとなる（図２４（ｆ））。尚、特図の判定がハズレであれば主人公が敵方に破れ、擬似図柄が揃わずにハズレとなる。
【００８２】
図２５および図２６は遊技者の手動操作による演出であり、かつ操作を失敗したが大当りとなった時の表示態様の一例を示す。
前記図２２（ａ）（ｂ）（ｃ）に示す演出を経て、図２５（ａ）に示す操作指示２１３に対して、遊技者がジョグダイヤル１６を右方向へ操作すると（図２５（ｂ））、遊技者の操作が不適正で主人公２１１が剣を獲得できない（図２５（ｃ）（ｄ）（ｅ））。そして図２５（ｆ）に示すように敵方２１４が現れ、擬似図柄２１０がリーチ表示となると、図２６（ａ）（ｂ）に示すように主人公２１１が素手で敵方２１４と戦う。その後、特図の判定が大当りであれば、主人公２１１が敵方２１４を倒し、三桁の数値が揃った擬似図柄２１０が確定表示されて大当りとなる（図２６（ｃ））。尚、特図の判定がハズレであれば主人公が敵方に破れ、擬似図柄が揃わずにハズレとなる。
【００８３】
次に自動操作による演出の表示態様の一例を、図２７を用いて説明する。
自動操作の演出でも手動時と同様に前記図２２（ａ）（ｂ）（ｃ）に示す演出を経て、図２７（ａ）に示すように操作演出を開始する。この場合、演出ボタン１５およびジョグダイヤル１６が自動で作動するのでこれらに触れないように注意を促す注意表示２１５がなされる。その後、図２７（ｂ）ないし（ｅ）に示すように自動操作の演出が進行し、最終の自動操作が適正であれば図２７（ｆ）に示すように主人公２１１が強く岩を砕く。その後、前記図２４に示すように主人公２１１が剣２１２を獲得し、剣２１２を使って敵方２１４と戦い、特図の判定が大当りであれば、主人公２１１が敵方２１４を倒して大当りとなる。一方、特図の判定がハズレであれば主人公が敵方に破れ、擬似図柄が揃わずにハズレとなる。
【００８４】
尚、手動操作又は自動操作のいずれの演出においても、操作が適正で主人公が獲得する剣を複数種類設けて、剣の種類により大当りとなるか否かの特図の抽選結果を示唆する。例えば複数種類の剣として、図２８に示すように「長剣」、「短剣」、「折れた剣」の３種類が用意されており、獲得した剣の種類に応じて大当りの期待度を示すようにしている。特図の大当り時には、「長剣」、「短剣」の獲得率（選択率）が「４/１０」、「５/１０」と高く、ハズレ時には「折れた剣」の獲得率が「７/１０」と高く設定されている。
よって「長剣」、「短剣」を獲得したときは大当りの期待度が高く、「折れた剣」を獲得したときは大当りの期待が持てない。また「長剣」の中にも「金の長剣」、「銀の長剣」、「銅の長剣」を設け、「金の長剣」を獲得したときには確実に大当りとなり、「銅の長剣」ではハズレとなるようにすることが望ましい。これに限らず、他のアイテムを獲得できるようにしてもよい。
【００８５】
本実施形態のパチンコ機によれば、従来の様に単に演出ボタンやジョグダイヤルが自動に突出作動や振動作動するだけではなく、演出図柄表示装置２１に遊技者へ向けてなされた操作指示の内容通りに演出ボタン１５およびジョグダイヤル１６が正確に自動操作されるので、遊技者に新鮮味と驚嘆を与えることができる。
また、常に自動で演出ボタン１５およびジョグダイヤル１６を自動操作するのではなく、遊技の進行に応じた判定（サブ統合制御装置４２による）によっては、遊技者に手動操作させる場合を設けたので、自動操作か手動操作かといった遊技者の期待感やスリル感を高めることができ、かつ自動又は手動のいずれの操作においても操作が適正と判断されたときになされる特図の抽選結果の示唆により大当りとなるか否かといった遊技者の期待感やスリル感を高めることができ、遊技者を飽きさせることなく、遊技に対する遊技者の意欲を向上せしめることができる。
【００８６】
大当りとなるか否かの特図の抽選結果によって演出ボタン１５およびジョグダイヤル１６を自動操作させるか否かを決定することが望ましく、抽選結果がハズレのときよりも大当りの時に自動操作させるようにすることが有利である。これによれば、自動操作への遊技者の期待感を高め、更に自動操作の開始により遊技者の大当りへの期待感を高めることができる。また、操作させる指示内容によっても自動操作させるか否かを決めることが望ましく、簡単な指示内容のときは、自動操作させないようにすることが有利である。これは簡単な指示内容で自動操作させてしまったら自動操作の有効性が軽く見られてしまうが、複雑な指示内容を遊技者に代わって自動操作させることで自動操作の価値観を上げることができる。
【００８７】
また自動操作の最中に遊技者が手動操作した場合には、操作が適正と判断されず、かつ自動操作が停止するので、自動操作の際には、遊技者は操作手段を操作しなくなる。よって自動操作時に操作手段が遊技者の手などに接触して、遊技者の手を傷めずにすむ。
【００８８】
更に自動操作毎に操作が適正か判定し、適正と判断された場合のみ次の操作指示を行うようにしたので、自動操作の最中に早まって遊技者が操作手段を手動操作してしまうと次に進めず、自動操作中では遊技者は操作手段を手動操作しなくなる。よって自動操作時に操作手段が遊技者の手などに接触して、遊技者の手を傷めずにすむ。
【００８９】
次に本発明の他の実施形態を説明する。
先の実施形態のパチンコ機では、操作指示により、演出ボタン１５の押下操作やジョグダイヤル１６の回転操作をさせる構成であるが、これに限らず、演出ボタン１５とジョグダイヤル１６を用いて文字入力を可能とし、操作指示として簡単なクイズや問題を出題してこれに答えさせる文字入力演出を行なうように構成してもよい。
そこで本実施形態のパチンコ機では前記文字入力演出を自動操作で行う構成としてある。本実施形態のパチンコ機は、先の実施形態のパチンコ機とほぼ同一の基本構成を有するもので、前記演出ボタン１５およびジョグダイヤル１６の手動操作演出、自動操作演出と併用して特図のスーパーリーチ時などに文字入力演出を実施する構成とされ、以下の説明において、先の実施形態のパチンコ機との相違点を中心に説明する。
【００９０】
図２９に示す「自動操作処理」はサブ統合制御装置４２で実行されるプログラム処理で、前記「演出内容決定処理」（図１７（ａ））の後に実行される。「自動操作処理」ではスーパーリーチなどの特定の演出が開始されると、自動操作で文字入力演出を行うものである。尚、スーパーリーチなどの特定の演出時には指示演出を行なう、行わないに関わらず、自動操作で文字入力演出を行う構成であり、特許請求の範囲に記載した「前記指示手段による指示が行われていないときに前記自動操作判定手段が前記自動制御手段を作動させると判定した場合」に相当する。
【００９１】
先ずＳ８００の処理において、特別図柄の変動が開始され、スーパーリーチなどの特定の演出が開始されたか否か確認する。特定の演出開始を確認すると（Ｓ８００：ｙｅｓ）、入力する文字（設定文字）を複数種類の設定文字から抽選で決定する（Ｓ８０１）。
【００９２】
前記設定文字として、図３４に示すように、例えば、「さむい」、「あつい」、「げきあつ」など大当りに関する期待度を示す文字を用いることが望ましい。かつこれらの設定文字の選択率を、特図の大当り時には、「あつい」、「げきあつ」の選択率が「４/１０」、「５/１０」と高くし、ハズレ時には「さむい」の選択率を「７/１０」」と高く設定するようにしている。よって「あつい」、「げきあつ」の入力演出時には大当りの期待度が高く、「さむい」の入力演出時は大当りの期待が持てない。
【００９３】
図２９のＳ８０２の処理では、前記Ｓ８０１の処理において抽選選択された文字の設定処理を行う。続いて、演出ボタン１５およびジョグダイヤル１６を自動操作させる自動操作フラグに「１」をセットし（Ｓ８０３）、Ｓ８０４の自動操作処理において自動操作を開始する。この処理では演出図柄表示装置２１の画面に、５０音の平仮名と入力する平仮名を示すカーソルを表示するとともに、ジョグダイヤルダイヤル１６を自動に回転操作せしめて前記カーソルを前記設定文字の最初の一文字を指す任意の位置に移動させる。
【００９４】
続いてＳ８０５の処理において、前記カーソルが前記一文字を示すか否かを確認し、カーソル位置が適正であれば（Ｓ８０５：ｙｅｓ）、演出ボタン１５を自動操作で押下して一文字を入力する（Ｓ８０６）。
次にＳ８０７の処理において、前記入力した一文字が前記設定文字の最後の一文字であるか否かの確認を行い、最後の一文字でなけれ（Ｓ８０７：ｎｏ）、Ｓ８０８の設定文字更新処理において次の一文字の設定を行う。
【００９５】
その後、前記Ｓ８０５の処理に移行してカーソルの位置を確認し、前記一文字を指す位置でなければ（Ｓ８０５：ｎｏ）、ジョグダイヤル１６を自動操作してカーソルを移動させて（Ｓ８１０）、前記Ｓ８０５の処理に移行して、前記Ｓ８０５〜Ｓ８１０の処理を、前記Ｓ８０７の処理で最後の一文字が確認されるまで繰り返し行う。
前記Ｓ８０７の処理で最後の一文字が確認されると（Ｓ８０７：ｙｅｓ）、Ｓ８１１の処理で前記自動作動フラグを「０」に戻す。
【００９６】
図３０に示す「文字入力表示処理」では、スーパーリーチなどの特定の演出中であるか否かを確認し（Ｓ９００）、特定の演出中であれば（Ｓ９００：ｙｅｓ）、次に演出ボタン１５が自動操作で押下された否かを確認する（Ｓ９０１）。演出ボタン１５の操作があれば（Ｓ９０１：ｙｅｓ）、該ボタン操作により入力された一文字を確定表示せしめ（Ｓ９０２）、入力された文字が設定されたもの（適正）であるか確認する（Ｓ９０３）。
【００９７】
入力された文字が適正でなければ（Ｓ９０３：ｎｏ）前記自動作動フラグを「０」に戻して（Ｓ９０４）、文字入力演出を終了する（Ｓ９０５）。
一方、入力文字が適正であれば（Ｓ９０３：ｙｅｓ）、設定文字の全ての入力が完了した否かを確認し（Ｓ９０６）、完了であれば（Ｓ９０６：ｙｅｓ）、入力文字を大きく表示するなど、入力文字完結演出を行なう（Ｓ９０７）。この処理により前記「さむい」、「あつい」、「げきあつ」のいずれかを拡大表示して特図の抽選の結果を示唆する。
【００９８】
前記Ｓ９０１の処理においてボタン操作がなければ（Ｓ９０１：ｎｏ）、ジョグダイヤル１６が操作されたか否かを確認し（Ｓ９０８）、ジョグダイヤル１６の操作があれば（Ｓ９０８：ｙｅｓ）、ジョグダイヤル操作に応じて移動した前記カーソルの位置移動表示を行う（Ｓ９０９）。
【００９９】
次に演出ボタン１５およびジョグダイヤル１６の自動操作により実施される文字入力演出で演出図柄表示装置２１に表示される表示態様の一例を説明する。文字入力の演出が開始されると、図３１（ａ）に示すように演出図柄表示装置２１に５０音の平仮名２１６が表示され、入力する平仮名をカーソル２１７で示す構成である。
そして図３１（ｂ）（ｃ）に示すように、自動操作により演出ボタン１５が押され、カーソルが示す平仮名「あ」が入力され画面下辺の入力表示２１８に表示される。
続いて自動操作によりジョグダイヤル１６が回転し、この回転動作に応じて平仮名２１６上をカーソル２１７が移動する（図３１（ｄ）（ｅ）（ｆ））。
【０１００】
カーソル２１７が所定の平仮名に移動すると、図３２（ａ）（ｂ）に示すように、再び自動操作により演出ボタン１５が押され、カーソルが示す平仮名が入力される。図例では「つ」が入力されて前記入力表示２１８に表示される。
続いて自動操作によりジョグダイヤル１６が回転し、この回転動作に応じて文字上をカーソルが移動して「い」を示し、その後に演出ボタン１５が押されると（図３２（ｃ）（ｄ）（ｅ）（ｆ））、図３３（ａ）（ｂ）に示すにように「い」が入力されて、最終的に入力表示２８１として「あつい」と拡大表示せしめる。
【０１０１】
本実施形態によれば、先の実施形態と同様な作用効果が得られる上、自動操作の文字入力演習により遊技者への操作指示が行われなくても演出ボタン１５およびジョグダイヤル１６が自動操作され文字が入力されるので、遊技者は自動操作のタイミングが予測できず、遊技者をより驚嘆させることができる。
また、演出ボタン１５およびジョグダイヤル１６の自動操作に対応して文字が入力表示され、操作毎に入力された文字の組み合わせによって、抽選結果を示唆することにより、遊技者は「こっちに動いてくれ」などの、今までにない斬新な期待をもって遊技ができ、遊技者を飽きさせることがない。
【０１０２】
尚、本実施形態において、文字入力演出の自動操作中に遊技者が演出ボタン１５およびジョグダイヤル１６を手動操作したときには、先の実施形態と同様に、自動操作を中止し、演出を終了することが望ましい。
【０１０３】
尚、特許請求の範囲に記載の本発明は前記各実施形態の構成に限定されるものではなく、本発明の要旨を逸脱しない範囲でさまざまに実施できることは勿論である。例えば、操作手段として演出ボタンとジョグダイヤルの組合わせに限らず、図３５に示す十字キー１５ａでもよいし、文字入力演出を実施するパチンコ機では文字入力用にキーボードを設けてもよい。
また、前記「演出内容決定処理」、「自動操作判定処理」、「操作指示延出処理」、「自動操作開始処理」、「自動操作処理」、「文字入力表示処理」をサブ統合制御装置４２により実行する構成であるが、これに限らず、少なくとも「文字入力表示処理」などを演出表示制御装置４３で処理するようにしてもよい。
更に前記実施形態では、「演出内容決定処理」（指示決定手段）により、操作手段を用いる演出が行なわれる（指示が行われる）ことが決定されたあとに、「自動操作判定処理」（自動操作判定手段）が自動操作を行なうか否か判定する構成としたが、双方を一度に決定する（同一処理で決定する）構成、例えば特定の乱数を抽出したときに、操作手段を用いる演出と自動操作を行う構成としてもよいし、先に自動操作を行うことが決定されてから操作手段を用いる演出を行うか否かを決定する構成でもよい。
また前記実施形態では、操作の適正判断において、１回の操作毎に正否を判定しており、１回でも間違えると適正ではないと判断される構成であるが、これに限らず、操作可能な制限時間を設け、この時間内に一度でも適正な操作があれば適正と判断する構成としてもよい。即ち前記時間内であれば何度間違ってもよい構成。
また本発明を適用したパチンコ機は、勝手に演出ボタンやジョグダイヤルが作動することから、ポルターガイスト、幽霊、怖い話、怪物、妖怪、たたり、神話などをテーマにした（演出上で行われる）ものが適している。
更にまた本発明は、機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。
【符号の説明】
【０１０４】
１  パチンコ機（弾球遊技機）
１５  演出ボタン（操作手段）
１６  ジョグダイヤル（操作手段）
２  遊技盤
２１  演出図柄表示装置
２３Ａ  第１特別図柄始動口（始動口）
２３  第２特別図柄始動口（始動口）
４０  主制御装置
４２  サブ統合制御装置（サブ制御装置、擬似演出選択手段、指示手段、適正判断手段、抽選結果示唆手段、自動制御手段、自動操作判定手段、指示決定手段）
５５０  演出ボタン検出ＳＷ（操作検知手段）
５５１  第１ジョグダイヤル検出ＳＷ（操作検知手段）
５５２  第２ジョグダイヤル検出ＳＷ（操作検知手段）
【図１】
2014028126.tif 000003
【図２】
2014028126.tif 000004
【図３】
2014028126.tif 000005
【図４】
2014028126.tif 000006
【図５】
2014028126.tif 000007
【図６】
2014028126.tif 000008
【図７】
2014028126.tif 000009
【図８】
2014028126.tif 000010
【図９】
2014028126.tif 000011
【図１０】
2014028126.tif 000012
【図１１】
2014028126.tif 000013
【図１２】
2014028126.tif 000014
【図１３】
2014028126.tif 000015
【図１４】
2014028126.tif 000016
【図１５】
2014028126.tif 000017
【図１６】
2014028126.tif 000018
【図１７】
2014028126.tif 000019
【図１８】
2014028126.tif 000020
【図１９】
2014028126.tif 000021
【図２０】
2014028126.tif 000022
【図２１】
2014028126.tif 000023
【図２２】
2014028126.tif 000024
【図２３】
2014028126.tif 000025
【図２４】
2014028126.tif 000026
【図２５】
2014028126.tif 000027
【図２６】
2014028126.tif 000028
【図２７】
2014028126.tif 000029
【図２８】
2014028126.tif 000030
【図２９】
2014028126.tif 000031
【図３０】
2014028126.tif 000032
【図３１】
2014028126.tif 000033
【図３２】
2014028126.tif 000034
【図３３】
2014028126.tif 000035
【図３４】
2014028126.tif 000036
【図３５】
2014028126.tif 000037